(57)【特許請求の範囲】
【請求項１】
耳介の表面部にスピーカユニットの放音部を当接させるように、上記スピーカユニットを収納したハウジングと、
上記ハウジングが回動可能に取り付けられ、耳掛け部を有し、利用者の後頭部を回り込むように装着され、頭部を挟む方向に付勢されるヘッドバンドとを備え、
上記耳掛け部は、装着時に耳介の前側部に対応する位置に位置する取付部を有すると共に、耳介の上方部に対応する位置から耳介の裏側部とこの耳介の裏側部に対向する頭部との間に介在される部材とを有し、
上記ハウジングの耳介の前側部に対応する位置に支持機構を設けると共に、上記取付部を支持機構に係合させ、上記取付部と上記支持機構とにより耳介を挟む略水平方向に上記ハウジングを付勢するバネ部材を上記取付部と上記支持機構との係合位置に係合させて、非装着時に上記取付部と上記支持機構とが近接するようにし、
上記支持機構は、上記取付部に対して、上記ハウジングを、このハウジングより上記耳介の前側部側に突出した接続部で、略垂直方向に延びた上記取付部側の支軸によって上記耳介を挟む略水平方向に回動支持し、
上記ハウジングを上記支軸及びこの支軸の延長線上より離間するように配置するヘッドホン装置。
【発明の詳細な説明】
【技術分野】
【０００１】
本発明は、耳介部分に装着して用いられるヘッドホン装置に関する。
【背景技術】
【０００２】
従来、ヘッドバンドが利用者の後頭部を回り込むような状態で頭部に装着されるヘッドホン装置がある。このヘッドホン装置１１０は、図５に示すように、内部に電気音響変換素子が内蔵される左右一対のスピーカユニット１１１，１１２と、両端部にスピーカユニット１１１，１１２が放音面を対向して取り付けられるヘッドバンド１１３とを有する。このヘッドバンド１１３は、後頭部１０２と略同じように湾曲して形成され、スピーカユニット１１１，１１２を頭部１０１を挟む方向に付勢する。
【０００３】
このヘッドバンド１１３は、後頭部１０２に回り込むように形成されるバンド部１１３ａと、スピーカユニット１１１，１１２が取り付けられる取付部１１３ｂ，１１３ｃとを備える。ここで、取付部１１３ｂ，１１３ｃは、利用者がスピーカユニット１１１，１１２を把持して装着しやすくなるように、取付部１１３ｂ，１１３ｃとバンド部１１３ａとがなす角αが所定の角度を有するように外方に向かって折曲して形成される。スピーカユニット１１１，１１２は、放音面が耳介１０３，１０４を向くように取付部１１３ｂ，１１３ｃに固定して取り付けられる。
【０００４】
このようなヘッドホン装置１１０は、利用者がスピーカユニット１１１，１１２を把持して、スピーカユニット１１１，１１２を離間する図５中矢印Ｙ方向にヘッドバンド１１３を広げ、耳介１０３，１０４と位置合わせし、ヘッドバンド１１３が後頭部１０２を回り込むようにして後頭部１０２側から頭部１０１に装着される。スピーカユニット１１１，１１２は、ヘッドバンド１１３の撓みにより耳介１０３，１０４に圧接される。利用者は、ヘッドホン装置１１０を装着する際、スピーカユニット１１１，１１２が角αが所定の角度を有するように形成された取付部１１３ｂ，１１３ｃに取り付けられていることから、スピーカユニット１１１，１１２が耳介１０３，１０４に当たることなく、スピーカユニット１１１，１１２を把持してヘッドホン装置１１０を容易に頭部１０１に装着することができる。
【発明の開示】
【発明が解決しようとする課題】
【０００５】
このような従来のヘッドホン装置は１１０は、ヘッドホン装置１１０の装着操作の良くするために、取付部１１３ｂ，１１３ｃが取付部１１３ｂ，１１３ｃとバンド部１１３ａとがなす角αが所定の角度を有するように折曲して形成されることから、角αが０°でスピーカユニット１１１，１１２を取り付けたヘッドホン装置に比べ、耳介１０３，１０４を押圧する圧力が小さくなる。
【０００６】
しかしながら、ヘッドホン装置１１０にラジオ受信機能等更に新たな機能を加える場合には、ヘッドホン装置１１０の部品点数が増加することになり、ヘッドホン装置１１０全体が重くなってしまう。したがって、利用者が頭部１０１にこのようなヘッドホン装置１１０を装着した場合に、ヘッドホン装置１１０は、利用者の襟元の方へずれてしまうことになる。
【０００７】
一方、ラジオ受信機能等を備えた多機能のヘッドホン装置１１０を正規の装着位置に保持するためには、上述した角αの角度を小さく、あるいは０°にすることにより、スピーカユニット１１１，１１２が耳介１０３，１０４を押圧する圧力を大きくすることもできる。しかしながら、このような場合、利用者の耳介１０３，１０４への圧力が大きくなり、ヘッドホン装置１１０の装着感が悪くなり、また、耳介１０３，１０４への負担が大きくなり、長時間にわたる使用が困難となる。
【０００８】
また、上述したヘッドホン装置１１０は、スピーカユニット１１１，１１２が取付部１１３ｂ，１１３ｃに固定して取り付けられていることから、例えば誤って落下させてしまった場合等大きな衝撃が加わってしまった場合に、取付部１１３ｂ，１１３ｃが破損してしまうことがある。また、利用者によって頭部１０１の形状は個人差により様々であり、利用者によっては、快適な装着感を得られない場合もある。
【０００９】
そこで、本発明は、装着操作を容易に行うことができると共に快適に頭部に装着することができるヘッドホン装置を提供することを目的とする。
【課題を解決するための手段】
【００１０】
上述したような技術課題を達成するために提案される本発明に係るヘッドホン装置は、耳介の表面部にスピーカユニットの放音部を当接させるように、上記スピーカユニットを収納したハウジングと、上記ハウジングが回動可能に取り付けられ、耳掛け部を有し、利用者の後頭部を回り込むように装着され、頭部を挟む方向に付勢されるヘッドバンドとを備え、上記耳掛け部は、装着時に耳介の前側部に対応する位置に位置する取付部を有すると共に、耳介の上方部に対応する位置から耳介の裏側部とこの耳介の裏側部に対向する頭部との間に介在される部材とを有し、上記ハウジングの耳介の前側部に対応する位置に支持機構を設けると共に、上記取付部を支持機構に係合させ、上記取付部と上記支持機構とにより耳介を挟む略水平方向に上記ハウジングを付勢するバネ部材を上記取付部と上記支持機構との係合位置に係合させて、非装着時に上記取付部と上記支持機構とが近接するようにし、上記支持機構は、上記取付部に対して、上記ハウジングを、このハウジングより上記耳介の前側部側に突出した接続部で、略垂直方向に延びた上記取付部側の支軸によって上記耳介を挟む略水平方向に回動支持し、上記ハウジングを上記支軸及びこの支軸の延長線上より離間するように配置したものである。
【発明の効果】
【００１１】
本発明に係るヘッドホン装置は、耳介の前側部に対応する位置に設けた取付部と支持機構とにより耳介を挟んで装着できるので、耳介への密着度を高め、かつ、良好な装着感をもって円滑に装着でき、非装着時に取付部と支持機構とが近接した状態になるので、コンパクトにすることができ、取り扱いが容易となる。
【発明を実施するための最良の形態】
【００１２】
以下、本発明を適用したヘッドホン装置の一実施の形態を図面を参照して説明する。このヘッドホン装置１０は、図１に示すように、左右一対のスピーカユニット１１，１２と、両端部にスピーカユニット１１，１２の放音面を対向させてスピーカユニット１１，１２が取り付けられるヘッドバンド１３とを有する。このようなヘッドホン装置１０は、ヘッドバンド１３が後頭部２を回り込むような状態で頭部１に装着される。
【００１３】
スピーカユニット１１，１２は、図１及び図２に示すように、耳介３を覆う程度の大きさに形成されたハウジング１４，１５を有する。ハウジング１４，１５には、内部に、電気音響変換素子のドライバ回路、ＡＭ、ＦＭ用のラジオ受信回路、電源回路、ＡＭ用バーアンテナ等が組み込まれた１枚又は複数枚のプリント配線基板がそれぞれ配設される。そして、ハウジング１４，１５の耳介３，３と対向する側の面には、複数の操作部が設けられる。具体的に、ハウジング１４には、ラジオを受信する際に周波数を選択する回転操作型の周波数切換つまみ１６が設けられる。また、ハウジング１５には、音量を調節する回転操作型の音量調節つまみ１７が設けられる。さらに、ハウジング１５には、ヘッドホン装置１０の電源となる電池が収納される電池収納部１８が設けられ、電池収納部１８を閉塞する電池蓋１９がハウジング１５に対して回動可能に取り付けられる。これら周波数切換つまみ１６、音量調節つまみ１７等から構成される操作部は、耳介３，３に対向する面側に設けると共に電池蓋１９も耳介３，３に対向する面側に設け、外方に臨む側の面に設けられないことで、ヘッドホン装置１０の頭部１への装着時において、見栄えをよくしている。
【００１４】
また、ハウジング１４，１５には、図３に示すように、耳介３，３と対向する放音面となる面側に、電気音響変換素子が収納される収納部２１，２１が設けられる。収納部２１，２１は、ハウジング１４，１５から環状の第１の立上がり壁２２，２２により構成される。収納部２１，２１に収納される電気音響変換素子は、振動板に連設され磁気回路部の磁気ギャップ内に挿入配置したボイスコイルボビンに巻装したボイスコイルにハウジング１４，１５内のプリント配線基板に組み込まれたドライバ回路からの音声信号を供給することによって振動板を振動させるようにしたスピーカとして構成されてなる。
【００１５】
このような収納部２１，２１には、図３に示すように、イヤパッド取付部２４，２４が取り付けられる。イヤパッド取付部２４，２４は、その主面部２４ａ，２４ａに、複数の第１の音響透過孔２６が設けられる。イヤパッド取付部２４，２４には、主面部２４ａ，２４ａの耳介３，３側の放音面となる面に、ハウジング１４，１５に設けられた第１の立上がり壁２２，２２より小径の環状の第２の立上がり壁２５，２５が設けられる。さらに、イヤパッド取付部２４，２４の主面部２４ａ，２４ａには、弾性変位可能な柔軟性を有する材料、例えばウレタン等で形成されたイヤパッド２６，２６が被覆される。イヤパッド２６，２６には、主面部２６ａ，２６ａに、第２の音響透過孔２７，２７が形成される。イヤパッド２６，２６は、開口側が縮径するようなカップ状に形成され、イヤパッド取付部２４，２４の主面部２４ａ，２４ａを被覆するように取り付けられる。
【００１６】
イヤパッド取付部２４，２４は、図３に示すように、収納部２１，２１に取付け機構３１，３１により取り付けられる。取付け機構３１，３１は、イヤパッド取付部２４，２４の第２の立上がり壁２５，２５の外面側であって相対向する位置に設けられた一対の突起３２，３３と、突起３２，３３が係合される第１の立上がり壁２２，２２の内面側に設けられた係合溝３４，３５とを有する。
【００１７】
係合溝３４，３５は、第１の立上がり壁２２，２２の開口端より垂下する方向に設けられる第１の溝部３４ａ，３５ａと、図３中矢印Ｘ２方向に向かって第１の溝部３４ａ，３５ａと直交するする方向に設けられた第２の溝部３４ｂ，３５ｂとを有し、全体として略Ｌ字状に形成される。第２の溝部３４ｂ，３５ｂは、第１の溝部３４ａ，３５ａ側に突部３４ｃ，３５ｃが設けられ、終端部側が枢支部３６，３６として構成される。イヤパッド取付部２４，２４は、まず、イヤパッド取付部２４，２４の突起３２，３３が第１の溝部３４ａ，３５ａに係合され、次に、イヤパッド取付部２４，２４が図３中矢印Ｘ１方向に回転操作され、突起３２，３３が第２の溝部３４ｂ，３５ｂの突部３４ｃ，３５ｃを乗り上げ、枢支部３６，３６に枢支されることにより取り付けられる。これにより、イヤパッド取付部２４，２４は、突起３２，３３を回動支点として図２及び図３中矢印Ｘ３方向に回動可能に取り付けられる。すなわち、イヤパッド２６，２６は、ヘッドバンド１３が撓む方向と直交する図２及び図３中矢印Ｘ３方向に回動可能であることから、耳介３，３への当接状態が可変され、良好な状態で利用者の耳介３，３に当接される。
【００１８】
なお、スピーカユニット１１からは、例えば記録及び／又は再生装置に接続される外部接続用のコード２８が導出される。
【００１９】
このようなスピーカユニット１１，１２が支持されるヘッドバンド１３は、図１及び図２に示すように、ポリプロピレン等弾性を有する合成樹脂材料よりなり、全体として後頭部２と略同じように湾曲して形成される。ヘッドバンド１３は、両端部に支持されるスピーカユニット１１，１２を互いに近接する頭部１を挟む方向に付勢する。ヘッドバンド１３は、後頭部２に回り込むように装着されるバンド部４１を有する。バンド部４１は、図２中矢印Ｘ０方向又はこれと反対方向に撓むように弾性を有する。なお、バンド部４１には、その内部に、上述したスピーカユニット１１，１２内に配設されたラジオ受信回路が組み込まれたプリント配線基板に接続されるＦＭ受信用のリード線が内蔵される。
【００２０】
バンド部４１には、両側に、頭上方向に突出するように湾曲して耳介３，３の付け根部の外周部に掛けられる第１の耳掛け部４２，４２が設けられる。また、バンド部４１には、第１の耳掛け部４２，４２と連続して耳介３の後頭部２側の付け根部の外周部に掛けられる第２の耳掛け部４３，４３が設けられる。第２の耳掛け部４３，４３は、バンド部４１より柔軟性を有する例えばエストラマー等の合成樹脂材料よりなり、耳介３，３の付け根部に延在されるように湾曲して形成される。第２の耳掛け部４３，４３は、中央領域に穴部４４，４４が設けられ、左右の耳介３，３を結ぶ直線方向に撓みやすく、左右の耳介３，３を結ぶ直線と直交する方向に撓みにくくされる。これにより、第２の耳掛け部４３，４３は、ヘッドホン装置１０が左右の耳介３，３を結ぶ直線方向に撓みやすくされることで、柔らかい感触で耳介３，３の周囲に当接されると共に、左右の耳介３，３を結ぶ直線と直交する方向に撓みにくくされることで、スピーカユニット１１，１２の装着位置の位置決めがされる。すなわち、ヘッドホン装置１０は、耳介３の付け根部の外周部に第１の耳掛け部４２，４２及び第２の耳掛け部４３，４３が延在されることで、ヘッドホン装置１０が頭部１に支持されることになり、装着状態が安定し、長時間にわたり装着された場合であっても装着位置がずれることなく快適な状態で頭部１に装着される。
【００２１】
ヘッドバンド１３には、図２に示すように、バンド部４１の両端部に、外方に向かって略直角に折曲したスピーカユニット１１，１２が取付け支持される取付部４５，４５が設けられる。取付部４５，４５には、図４に示すように、スピーカユニット１１，１２の支持機構５１，５１により、スピーカユニット１１，１２が頭部１を挟む方向に回動可能に支持される。支持機構５１，５１は、図４に示すように、スピーカユニット１１，１２を回動支持する回動支持部材５２，５２を有する。回動支持部材５２，５２は、全体としてコ字状に形成され、ネジ５３，５３によりヘッドバンド１３の取付部４５，４５に取り付けられる。
【００２２】
回動支持部材５２，５２は、相対向してスピーカユニット１１，１２を回動支持する回動支持部５４，５４が設けられる。回動支持部５４，５４の間には、スリーブ５６，５６が配設され、スピーカユニット１１，１２を回動支持部材５２，５２に対して回動自在に支持するための支軸５７，５７が挿通される。スピーカユニット１１，１２には、耳介３，３と対向する面側に、回動支持部５４，５４と接続するための接続部５８，５８が設けられる。接続部５８，５８は、スリーブ５６，５６に挿通された支軸５７，５７の両端部を軸支する。スピーカユニット１１，１２は、回動支持部材５２，５２に支軸５７，５７を回動支点として回動可能に支持される。そして、スリーブ５６，５６には、付勢部材、例えば捻りコイルバネ５５，５５が巻装される。捻りコイルバネ５５，５５は、一端が回動支持部５４に設けられた係止部５９に係止され、他端がスピーカユニット１１，１２のハウジング１４，１５に設けられた係止部６０に係止され、スピーカユニット１１，１２を耳介３，３の方向である図２及び図４中矢印Ｘ４方向へ付勢する。
【００２３】
スピーカユニット１１，１２は、利用者に把持されて図２及び図４中矢印Ｘ４方向と反対方向に向かって回動操作された際、取付部４５，４５が回動規制部として機能することにより、ハウジング１４，１５の外方側の面がヘッドバンド１３の取付部４５，４５に突き当てられるまで回動される。すなわち、スピーカユニット１１，１２は、図２中ヘッドバンド１３の両端部とスピーカユニット１１，１２とがなす角θが有する所定の角度の範囲で回動可能に取付部４５，４５に支持される。
【００２４】
以上のように構成されるヘッドホン装置１０は、次のように頭部１に装着される。ヘッドホン装置１０は、図１及び図２に示すように、利用者によりスピーカユニット１１，１２が把持され、ヘッドバンド１３が側頭部から離間する図２中矢印Ｘ０方向に広げられる。このとき、スピーカユニット１１，１２は、捻りコイルバネ５５，５５の付勢力に抗して、ヘッドバンド１３の取付部４５，４５に突き当てられるまで、図２中矢印Ｘ４方向と反対方向に回動される。この状態で、ヘッドホン装置１０は、後頭部２側から頭部１を挟み込むようにして前方方向に移動される。ここで、第１の耳掛け部４２，４２及び第２の耳掛け部４３，４３が耳介３，３の付け根部の周囲に係合されることにより、スピーカユニット１１，１２は、耳介３，３に対向した場所に位置される。
【００２５】
ここで、利用者がスピーカユニット１１，１２を離すと、ヘッドバンド１３は、頭部１を挟む図２中矢印Ｘ０方向に撓み、頭部１を後頭部２の側から狭持する。また、スピーカユニット１１，１２は、支持機構５１，５１の捻りコイルバネ５５，５５の付勢力により、ヘッドバンド１３の撓みに依存することなく、耳介３，３の方向に回動付勢され、耳介３，３に安定した圧力で当接される。このとき、イヤパッド２６，２６は、図２中矢印Ｘ３方向に回動可能であることから、耳介３への当接状態が可変され、良好な状態で利用者の耳介３に当接される。
【００２６】
かくして、ヘッドホン装置１０は、ヘッドバンド１３が利用者の後頭部２を回り込むように頭部１に装着される。なお、ヘッドホン装置１０は、頭部１に装着された状態において、外部接続用コード２８を記録及び／又は再生装置に接続することにより、音楽等を聞くことができ、また、外部接続用コード２８を記録及び／又は再生装置に接続しない場合であっても、周波数調節つまみ１７を調節することによりラジオ放送を聞くこともできる。
【００２７】
以上のようなヘッドホン装置１０は、頭部１に装着する際、スピーカユニット１１，１２が耳介３，３から離間する図２中矢印Ｘ４方向と反対方向に回動されることから、スピーカユニット１１，１２が装着操作の阻害をすることなく円滑に装着される。また、スピーカユニット１１，１２は、支持機構５１，５１の捻りコイルバネ５５，５５の付勢力により、ヘッドバンド１３の撓みに依存することなく、耳介３，３の方向に回動付勢され、利用者の頭部１の大きさの個人差に依存することなく、耳介３，３へ安定した圧力で圧接することができ、ヘッドホン装置１０の装着感の向上を図ることができる。さらに、ヘッドホン装置１０は、ヘッドバンド１３に捻りコイルバネ５５，５５に付勢されて回動可能に支持されていることから、例えば利用者が誤ってヘッドホン装置１０を落としてしまい衝撃が加わった場合でも、ヘッドバンド１３よりスピーカユニット１１，１２が取れて破損することが防止できる。
【００２８】
さらにまた、ヘッドホン装置１０は、第１の耳掛け部４２，４２及び第２の耳掛け部４３，４３が耳介３，３の付け根部の周囲に係合されることにより、ハウジング１４，１５内にプリント配線基板、アンテナ等が配設されスピーカユニット１１，１２が重くなった場合にも、第１の耳掛け部４２，４２及び第２の耳掛け部４３，４３により耳介３，３に支持される。したがって、ヘッドホン装置１０は、ヘッドバンド１３が頭部１を狭持し、また、スピーカユニット１１，１２が耳介３，３を圧接する力を小さくし、頭部１、耳介３，３への圧迫を少なくすることができ、装着感の向上を図ることができる。
【００２９】
さらにまた、ヘッドホン装置１０は、ヘッドバンド１３の撓みとスピーカユニット１１，１２が図２中矢印Ｘ４方向に付勢されて支持されていることに加え、イヤパッド取付部２４，２４が図２中矢印Ｘ３方向に回動自在にハウジング１４，１５に取り付けられていることから、装着と同時に利用者の頭部１の大きさ、形状に対応してスピーカユニット１１，１２及びイヤパッド２６，２６の位置が可変し微調整が行われる。したがって、ヘッドホン装置１０は、装着感の向上が図られ例えば利用者は長時間にわたりヘッドホン装置１０を違和感がなく長時間にわたり装着し続けることができる。
【００３０】
なお、以上、後頭部２側から装着されヘッドバンド１３が後頭部２側に掛け渡されるヘッドホン装置１０について説明したが、本発明はこれに限定されるものではなく、例えば頭上側から頭部１に装着するヘッドホン装置に適用することも可能である。
【図面の簡単な説明】
【００３１】
【図１】本発明が適用されたヘッドホン装置の使用状態を示す要部斜視図である。
【図２】ヘッドホン装置の全体を示す斜視図である。
【図３】ヘッドホン装置に用いられるスピーカユニットを示す分解斜視図である。
【図４】ヘッドホン装置に用いられるスピーカユニットをヘッドバンドに支持する支持機構を示す要部斜視図である。
【図５】従来のヘッドホン装置の使用状態を示す斜視図である。
【符号の説明】
【００３２】
１  頭部、２  後頭部、３  耳介、１０  ヘッドホン装置、１１，１２  スピーカユニット、１３  ヘッドバンド部、１４，１５  ハウジング、２４  イヤパッド取付部、４２，４２  耳掛け部、５１  支持機構、５２  回動支持部材、５５  捻りコイルバネ、５７  支軸
【図１】
0004551891.tif 000002
【図２】
0004551891.tif 000003
【図３】
0004551891.tif 000004
【図４】
0004551891.tif 000005
【図５】
0004551891.tif 000006